(57)【要約】【課題】開位置まで開かれた開閉蓋に加わる曲げモーメントを低減する。【解決手段】機器外観面より機器内部側に位置する回転中心の周りに回転することにより、機器外観面に設けられた開口を開閉可能な開閉蓋と、前記開閉蓋を、前記回転中心を機器外観面より機器内部側に位置させた状態で前記回転中心の周りに回転可能に、且つ、前記回転中心の回転半径方向外方への変位を許容しつつ、機器内部側から支持する支持部と、を備える携帯型電子機器。【選択図】図７
2010113222.tif 000002
【特許請求の範囲】
【請求項１】
機器外観面より機器内部側に位置する回転中心の周りに回転することにより、機器外観面に設けられた開口を開閉可能な開閉蓋と、
前記開閉蓋を、前記回転中心を機器外観面より機器内部側に位置させた状態で前記回転中心の周りに回転可能に、且つ、前記回転中心の回転半径方向外方への変位を許容しつつ、機器内部側から支持する支持部と、
を備える携帯型電子機器。
【請求項２】
請求項１に記載の携帯型電子機器であって、
前記開閉蓋の外観面が、機器外観面と面一に配されている携帯型電子機器。
【請求項３】
請求項１に記載の携帯型電子機器であって、
前記支持部は、
前記開閉蓋を回転可能に支持するヒンジ部と、
機器内部に、前記開口が設けられた機器外観面と交差する方向へ直動可能に配され、前記ヒンジ部を支持するヒンジ支持部と、
前記ヒンジ支持部を、機器内部側へ付勢する付勢部と、
を備える携帯型電子機器。
【請求項４】
請求項１に記載の携帯型電子機器であって、
前記支持部は、
前記開閉蓋を回転可能に支持するヒンジ部と、
機器内部に、前記開閉蓋の前記回転中心と並行する回転軸の周りに回転可能に配され、前記ヒンジ部を支持するヒンジ支持部と、
前記ヒンジ支持部を、機器内部側へ付勢する付勢部と、
を備える携帯型電子機器。
【請求項５】
請求項１に記載の携帯型電子機器であって、
前記開閉蓋が、前記回転中心が機器外観面より機器内部側に位置する状態で、前記回転中心の周りに回転して前記開口を開放する場合に、当該開閉蓋が当接する蓋当接部を備える携帯型電子機器。
【請求項６】
請求項５に記載の携帯型電子機器であって、
前記支持部は、前記機器外観面より機器外部側までの前記回転中心の変位を許容する携帯型電子機器。
【請求項７】
請求項６に記載の携帯型電子機器であって、
前記支持部は、前記蓋当接部に当接した前記開閉蓋が、さらに開く方向へ回転する場合に、前記開閉蓋の外観面の一部が機器外観面に当接する位置まで、前記回転中心の機器外部側への変位を許容する携帯型電子機器。
【発明の詳細な説明】
【技術分野】
【０００１】
本発明は、携帯型電子機器に関する。
【背景技術】
【０００２】
デジタルカメラ等の携帯型電子機器の筐体には、バッテリー、メモリーカード等が装填される装填部を開閉する開閉蓋が配されている（例えば、特許文献１及び２参照）。当該開閉蓋は、ヒンジ部を介して回転自在に上記装填部における開口縁部に支持されている。
【特許文献１】特開２００３−２１５６８０号公報
【特許文献２】特開２００８−６６０９８号公報
【発明の開示】
【発明が解決しようとする課題】
【０００３】
上記文献に記載の携帯型電子機器では、ヒンジ部における回転軸が、機器の外観面より機器内部側に配されており、開閉蓋は、開かれた状態で、装填部における開口縁部に干渉する。これにより、開閉蓋の開位置が決まる。ここで、開閉蓋の支持部近傍に当該開口縁部が当接していることから、開位置まで開かれた状態の開閉蓋に対して開く方向への荷重が加えられた場合には、開閉蓋に曲げモーメントが生じる。従って、開閉蓋が変形したり、破損したりする可能性がある。
【課題を解決するための手段】
【０００４】
上記課題を解決するために、本発明の第１の態様においては、機器外観面（１０６）より機器内部側に位置する回転中心（１３８）の周りに回転することにより、機器外観面に設けられた開口（１１２）を開閉可能な開閉蓋（１１０）と、前記開閉蓋を、前記回転中心を機器外観面より機器内部側に位置させた状態で前記回転中心の周りに回転可能に、且つ、前記回転中心の回転半径方向外方への変位を許容しつつ、機器内部側から支持する支持部（１５０）と、を備える携帯型電子機器（１００）が提供される。
【０００５】
なお、上記の発明の概要は、本発明の必要な特徴の全てを列挙したものではない。また、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、撮像装置としてのデジタルカメラ１００を、底側を上側に向けた状態で示した斜視図である。この図に示すように、デジタルカメラ１００は、矩形箱状の筐体１０２を備えている。この筐体１０２は、沈胴式のレンズ鏡筒１０４、ＣＣＤ等の撮像素子、シャッタ等を有する撮像部、バッテリーＢＴ及びメモリーカードＭＣ等を収容している。また、筐体１０２は、レンズ鏡筒１０４の光軸方向にかけて薄型に形成されている。
【０００８】
なお、以下の説明では、レンズ鏡筒１０４の光軸方向をカメラ前後方向、筐体の底側を下側に向けた状態における筐体１０２の上下方向をカメラ上下方向と称する。また、カメラ前後方向及びカメラ上下方向の双方と直交する水平方向をカメラ左右方向と称する。さらに、図面には、バッテリーＢＴ及びメモリーカードＭＣの挿入方向を図中矢印Ｘで示す。
【０００９】
カメラ前後方向にかけて薄型の筐体１０２における底部外観面１０６は、カメラ左右方向を長手方向とする矩形状に形成されており、底部外観面１０６におけるカメラ左右方向の一端側には、開閉蓋１１０が配されている。開閉蓋１１０は、カメラ左右方向を長手方向とする矩形板状に形成されており、バッテリーＢＴ及びメモリーカードＭＣが挿抜される矩形状の装填口１１２に嵌め込まれている。ここで、開閉蓋１１０の外観面１１４と底部外観面１０６とは面一に配されている。
【００１０】
また、開閉蓋１１０には、ロックレバー１２０が配されており、閉じた状態の開閉蓋１１０をロックレバー１２０により筐体１０２にロックすることができる。なお、ロックレバー１２０におけるユーザが操作する操作部１２２が開閉蓋１１０の外側に露出している。
【００１１】
図２は、開閉蓋１１０を開いた状態のデジタルカメラ１００を、底側を上側に向けた状態で示した斜視図である。この図に示すように、開閉蓋１１０の裏面には、ロックレバー１２０におけるレバー部１２４を開閉蓋１１０の長手方向にスライド可能に保持するスライドレール１１６が配されている。スライドレール１１６には、ロックレバー１２０のレバー部１２４と係合する係合部としての板バネ１１８が備えられている。
【００１２】
開閉蓋１１０は、ヒンジ部１３０を介して筐体１０２の内部側から回転可能に支持されている。ヒンジ部１３０は、開閉蓋１１０及び装填口１１２における一対の短辺のうちカメラ左右方向中央側に位置する短辺の近傍に配されている。また、ヒンジ部１３０には、開閉蓋１１０を開く方向へ付勢する捩りコイルバネ１３２が配されている。
【００１３】
図３は、開閉蓋１１０を閉じた状態のデジタルカメラ１００の底側を拡大して示す正面断面図である。この図に示すように、装填口１１２より奥側（即ち、カメラ上方側）には、バッテリーＢＴ及びメモリーカードＭＣが装填されるボックス１４０が配されている。このボックス１４０の奥部には、バッテリーＢＴの端子と接触する端子、及びメモリーカードＭＣの端子と接触する端子が配されている。また、ボックス１４０よりカメラ左右方向中央側には、ヒンジ部１３０を機器内部側から支持するヒンジ支持部１５０が配されている。
【００１４】
ヒンジ部１３０は、開閉蓋１１０の裏面におけるカメラ左右方向中央側の端部にカメラ前後方向に並べて配された一対の軸受部１３４と、一対の軸受部１３４を挟んでカメラ前後方向に並べて配された一対の軸支部１３６と、一対の軸受部１３４と一対の軸支部１３６に挿通された回転軸１３８とを備えている。即ち、一対の軸受部１３４は、一対の軸支部１３６に回転軸１３８を介して回転軸１３８の周りに回転可能に支持されている。
【００１５】
また、上述の捩りコイルバネ１３２は、一対の軸受部１３４の間に配されており、当該捩りコイルバネ１３２には回転軸１３８が挿通されている。捩りコイルバネ１３２の一端部及び他端部はそれぞれ、開閉蓋１１０の裏面と、ボックス１４０の開口縁部からカメラ左右方向中央側へ水平に延びる水平壁部１４２とに圧接している。即ち、捩りコイルバネ１３２は、一端側と他端側とが互いに接近する方向に弾性的に収縮しており、開閉蓋１１０を開放する方向（即ち、図中反時計回り方向）へ付勢している。
【００１６】
図４は、開閉蓋１１０を閉じた状態のデジタルカメラ１００の底側を拡大して示す正面断面図である。この図に示すように、開閉蓋１１０には、上述の操作部１２２が配される矩形状の開口部１１３が形成されている。この開口部１１３のカメラ左右方向の長さは、操作部１２２のカメラ左右方向の長さよりも長くなっており、操作部１２２は、開口部１１３の中でカメラ左右方向にスライド移動できる。
【００１７】
ここで、操作部１２２が、開口部１１３内においてカメラ左右方向外側端部（即ち、図中右端部）まで移動した場合に、レバー部１２４の先端部が、開閉蓋１１０から図中右側へ突出して筐体１０２における装填口１１２の縁部と係合する。これにより、開閉蓋１１０がロックレバー１２０により筐体１０２にロックされる。一方、操作部１２２が、開口部１１３内においてカメラ左右方向中央側端部（即ち、図中左端部）まで移動した場合に、レバー部１２４の先端部が、開閉蓋１１０と上下に重なる位置に格納され、筐体１０２における装填口１１２の縁部との係合を解除する。これにより、ロックレバー１２０による開閉蓋１１０の筐体１０２へのロックが解除され、開閉蓋１１０が、捩りコイルバネ１３２の付勢力により図中反時計回り方向へ回転され、開放される。
【００１８】
また、レバー部１２４には、カメラ左右方向に並列された一対の係合凹部１２６、１２８が形成されている。また、板バネ１１８には、係合凹部１２６、１２８に係合する係合凸部１１９が形成されている。図示するように、レバー部１２４が筐体１０２における装填口１１２の開口縁部に係合している場合に、係合凸部１１９が、係合凹部１２６、１２８のうちカメラ左右方向中央側に位置する係合凹部１２６に係合する。一方、レバー部１２４が装填口１１２の開口縁部との係合を解除している場合に、係合凸部１１９が、係合凹部１２６、１２８のうちカメラ左右方向外側に位置する係合凹部１２８に係合する。
【００１９】
また、ヒンジ支持部１５０は、一対の軸支部１３６と一体で形成されたガイド部１５２と、ガイド部１５２をカメラ上下方向へ直動可能に支持するガイド支持部１５４と、ガイド部１５２とガイド支持部１５４とに両端を支持された引張コイルバネ１５６とを備えている。
【００２０】
ガイド部１５２は、Ｌ字アングルであって、水平壁部１４２より機器外部側（即ち、カメラ下側）に配され、上記一対の軸支部１３６と一体化された水平部１５１と、水平部１５１におけるカメラ左右方向中央側から機器内部側（即ち、カメラ上側）へ延びる鉛直部１５３とを備えている。水平部１５１には、引張コイルバネ１５６の一端のフック部が引掛けられている。
【００２１】
また、ガイド支持部１５４は、上述の水平壁部１４２と、水平壁部１４２におけるカメラ左右方向中央側端部から機器内部側（即ち、カメラ上側）へ延びる鉛直部１５５と、鉛直部１５５に取付けられるＬ字アングル１５８とを備えている。Ｌ字アングル１５８は、鉛直部１５５とカメラ左右方向に対向して配された鉛直部１５７と、鉛直部１５７におけるカメラ上側端部からカメラ左右方向外側へ延出する水平部１５９とを備えている。
【００２２】
ガイド部１５２における鉛直部１５３には、カメラ上下方向に延びる長孔１６１が形成され、Ｌ字アングル１５８における鉛直部１５５には、長孔１６１と嵌り合う凸部１６３が形成されている。Ｌ字アングル１５８を機器外部側（即ち、カメラ下側）へ移動させた場合、長孔１６１におけるカメラ上側端部が凸部１６３に当接することにより、Ｌ字アングル１５８の機器外部側への移動が制限される。一方で、Ｌ字アングル１５８を機器内部側へ移動させた場合、ガイド部１５２の水平部１５１が水平壁部１４２に当接することにより、Ｌ字アングル１５８の機器内部側への移動が制限される。
【００２３】
また、水平部１５９には、引張コイルバネ１５６の他端のフック部が引掛けられている。即ち、ガイド部１５２は、引張コイルバネ１５６により機器内部側（即ち、カメラ上側）に付勢されており、ガイド部１５２における水平部１５１が、水平壁部１４２に圧接されている。なお、水平壁部１４２には、引張コイルバネ１５６が挿通される開口部１４３が形成されている。ここで、ガイド部１５２における水平部１５１が水平壁部１４２に圧接された状態では、ガイド部１５２に支持されたヒンジ部１３０は、底部外観面１０６より機器内部側に位置する。
【００２４】
図５は、開閉蓋１１０、ヒンジ部１３０、及びヒンジ支持部１５０を示す分解斜視図である。この図に示すように、捩りコイルバネ１３２を一対の軸受部１３４の間に配すると共に、一対の軸受部１３４を一対の軸支部１３６の間に配した状態で、回転軸１３８を一対の軸支部１３６、一対の軸受部１３４及び捩りコイルバネ１３２に挿通する。この状態で、一対の軸支部１３６の両側において、回転軸１３８の軸方向両端部にＥリング１３３を装着する。これにより、回転軸１３８が、一対の軸受部１３４及び一対の軸支部１３６から抜けることを防止する。
【００２５】
また、Ｌ字アングル１５８の鉛直部１５７の幅方向一端部及び他端部にはそれぞれ、フランジ部１６５が形成されている。一対のフランジ部１６５と鉛直部１５７とにより断面ハット形状が形成されており、対のフランジ部１６５が鉛直部１５５にネジ止めされ、一対のフランジ部１６５、鉛直部１５５、及び鉛直部１５７の間に鉛直部１５３が挿入される。
【００２６】
また、ガイド部１５２の水平部１５１とＬ字アングル１５８の水平部１５９にはそれぞれ、フック引掛け部としての一対の長孔１６９が形成されている。この一対の長孔１６９には、引張コイルバネ１５６の両端部に形成されたフック部１６７が引掛けられる。
【００２７】
図６は、開閉蓋１１０を開放した状態のデジタルカメラ１００の底側を拡大して示す正面断面図である。この図に示すように、ロックレバー１２０による開閉蓋１１０の筐体１０２へのロックが解除された状態では、開閉蓋１１０が捩りコイルバネ１３２の付勢力により開放される。この状態では、ヒンジ部１３０が引張コイルバネ１５６により機器内部側に付勢されていることから、回転軸１３８は、底部外観面１０６より機器内部側に位置する。また、この状態では、開閉蓋１１０の外観面１１４におけるカメラ左右方向中央側の端部が、底部外観面１０６に当接することにより、開放した開閉蓋１１０の停止位置（以下、開位置という）が決められる。本実施形態では、開閉蓋１１０の開位置は、閉じた位置（以下、閉位置という）から約１３０°回転した位置に設定されている。
【００２８】
図７は、開閉蓋１１０を開位置からさらに開放方向へ回転させた状態のデジタルカメラ１００の底側を拡大して示す正面断面図である。この図に示すように、ヒンジ部１３０を機器外部側へ移動させた場合、長孔１６１におけるカメラ上側端部（即ち、図中下端部）が凸部１６３に当接することにより、ヒンジ部１３０の機器外部側への可動範囲が制限される。本実施形態では、図示するように回転軸１３８が底部外観面１０６より機器外部側に位置して、開閉蓋１１０の外観面１１４と底部外観面１０６とが面接触できるように、上記可動範囲が設定されている。即ち、本実施形態では、長孔１６１における図中下端部と凸部１６３とは当接する前に、開閉蓋１１０の外観面１１４と底部外観面１０６とが当接する。なお、開閉蓋１１０の外観面１１４と底部外観面１０６とが当接する前に、長孔１６１における図中下端部と凸部１６３とが当接するように構成してもよい。
【００２９】
即ち、本実施形態では、開位置で停止している開閉蓋１１０に対して、さらに開放する方向（即ち、図中反時計周り方向であり、以下、開方向という）への荷重が加わった場合には、開閉蓋１１０が、外観面１１４と底部外観面１０６との当接部を支点として開方向へ回転する。これにより、回転軸１３８が、引張コイルバネ１５６の付勢力に抗して、機器外部側へ変位する。即ち、開閉蓋１１０の回転半径方向の外方への変位が、ヒンジ支持部１５０により許容されている。従って、当該状況下において、開閉蓋１１０に生じる曲げモーメントを低減でき、開閉蓋１１０に生じる曲げ変形を抑制できる。
【００３０】
また、本実施形態では、開閉蓋１１０における回転半径方向外側端部が底部外観面１０６に当接するまで、回転軸１３８の機器外部側への変位が許容されている。従って、当該状況下において、開閉蓋１１０に上記曲げモーメントが生じることを防止でき、開閉蓋１１０に曲げ変形が生じ、又は、開閉蓋１１０が破損することを防止できる。
【００３１】
また、本実施形態では、回転軸１３８を引張コイルバネ１５６により機器内部側に付勢したことから、開閉蓋１１０を開位置からさらに開方向へ回転させた後に、当該開閉蓋１１０を閉じる方向へ回転させた場合、回転軸１３８が機器内部側に引張コイルバネ１５６の付勢力により復帰する。従って、ユーザは、開閉蓋１１０を閉じるに際して、ヒンジ部１３０を機器内部側に押し込む作業を要しない。
【００３２】
また、ユーザが、開閉蓋１１０を閉位置から開位置まで開放させる場合には、回転軸１３８の位置が、引張コイルバネ１５６の付勢力により機器内部側に維持される。従って、開閉蓋１１０を閉位置から開位置まで回転させる操作の操作性を犠牲にすることなく、開閉蓋１１０の信頼性、安全性を向上できる。
【００３３】
図８は、ヒンジ支持部１５０の他の実施形態に係るヒンジ支持部２５０を備えるデジタルカメラ１００の底側を拡大して示す正面断面図である。この図に示すように、ヒンジ支持部２５０は、一対の軸受部１３４を回転軸１３８を介して支持する一対のリンクアーム２５２と、一対のリンクアームを連結する回転軸２５４と、一対のリンクアーム２５２を回転軸２５４の周りに機器内部側に付勢する捩りコイルバネ２５６とを備えている。一対のリンクアーム２５２は、互いに平行に配されており、長手方向一端部を回転軸１３８により連結され、長手方向他端部を回転軸２５４により連結されている。
【００３４】
回転軸２５４は、回転軸１３８より機器内部側に回転軸１３８と平行に配されており、水平壁部１４２から垂下された側壁部１４５に回転自在に支持されている。また、捩りコイルバネ２５６の一端にはコ字状のフック部２５５が形成されており、一方のリンクアーム２５２に引掛けられている。一方、捩りコイルバネ２５６の他端には、機器内部側に延びる直線部２５７が形成されている。また、側壁部１４５における回転軸２５４より機器内部側には、凸部１４７が突設されており、直線部２５７が凸部１４７に係止されている。ここで、捩りコイルバネ２５６は、一端と他端とが接近する方向に弾性的に収縮されている。これによって、一対のリンクアーム２５２が、機器内部側（即ち、図中反時計周り方向）へ捩りコイルバネ２５６により付勢されている。
【００３５】
図９は、ヒンジ支持部２５０を備えるデジタルカメラ１００の底側を拡大して示す正面断面図である。この図に示すように、側壁部１４５には回転止め用の凸部１４９が突設されている。この凸部１４９は、リンクアーム２５２の回転中心よりカメラ左右方向中央側、且つ機器外部側に配されており、カメラ左右方向中央側に傾斜したリンクアーム２５２が、凸部１４９に当接する。これにより、リンクアーム２５２の機器内部側への移動が制限される。ここで、リンクアーム２５２が凸部１４９に当接した状態では、ヒンジ部１３０が、底部外観面１０６より機器内部側に位置する。
【００３６】
図１０は、開閉蓋１１０、ヒンジ部１３０、及びヒンジ支持部２５０を示す分解斜視図である。この図に示すように、捩りコイルバネ１３２を一対の軸受部１３４の間に配すると共に、一対の軸受部１３４を一対のリンクアーム２５２の間に配した状態で、回転軸１３８を一対のリンクアーム２５２、一対の軸受部１３４及び捩りコイルバネ１３２に挿通する。この状態で、一対のリンクアーム２５２の両側において、回転軸１３８の軸方向両端部にＥリング１３３を装着することにより、回転軸１３８が一対の軸受部１３４及び一対のリンクアーム２５２から抜けることを防止する。
【００３７】
また、回転軸２５４の軸方向両端部を、側壁部１４５に軸受２５８を介して取り付け、一対の軸受２５８の両側において、回転軸２５４の軸方向両端部にＥリング２５９を装着する。これにより、軸受２５８が回転軸２５４及び側壁部１４５から抜けることを防止する。
【００３８】
図１１は、開閉蓋１１０を開放した状態のデジタルカメラ１００の底側を拡大して示す正面断面図である。この図に示すように、ロックレバー１２０による開閉蓋１１０の筐体１０２へのロックが解除され、開閉蓋１１０が捩りコイルバネ１３２の付勢力により開放された状態では、リンクアーム２５２が捩りコイルバネ２５６により回転軸２５４の周りに機器内部側に付勢されている。よって、この状態では、回転軸１３８が、底部外観面１０６より機器内部側に位置する。また、この状態では、開閉蓋１１０の外観面１１４におけるカメラ左右方向中央側の端部が、底部外観面１０６に当接することにより、開放した開閉蓋１１０の開位置が決められる。本実施形態では、開閉蓋１１０の開位置は、閉位置から約１３０°回転した位置に設定されている。
【００３９】
図１２は、開閉蓋１１０を開位置からさらに開放方向へ回転させた状態のデジタルカメラ１００の底側を拡大して示す正面断面図である。この図に示すように、ヒンジ部１３０を回転軸２５４の周りに機器外部側（即ち、図中時計周り方向）へ移動させた場合、回転軸１３８が底部外観面１０６より機器外部側に位置して、開閉蓋１１０の外観面１１４と底部外観面１０６とが面接触する。
【００４０】
即ち、本実施形態では、開位置で停止している開閉蓋１１０に対して、さらに開放する方向（即ち、図中反時計周り方向であり、以下、開方向という）への荷重が加わった場合には、開閉蓋１１０が、外観面１１４と底部外観面１０６との当接部を支点として開方向へ回転する。これにより、リンクアーム２５２が、捩りコイルバネ２５６の付勢力に抗して、機器外部側（即ち、図中時計周り方向）へ回転する。即ち、開閉蓋１１０の回転半径方向の外方への変位が、ヒンジ支持部２５０により許容される。従って、当該状況下において、開閉蓋１１０に生じる曲げモーメントを低減でき、開閉蓋１１０に生じる曲げ変形を抑制できる。
【００４１】
また、本実施形態では、回転軸１３８を捩りコイルバネ２５６により機器内部側に付勢したことから、開閉蓋１１０を開位置からさらに開方向へ回転させた後に、当該開閉蓋１１０を閉じる方向へ回転させた場合、回転軸１３８が機器内部側に捩りコイルバネ２５６の付勢力により復帰する。従って、ユーザは、開閉蓋１１０を閉じるに際して、ヒンジ部１３０を機器内部側に押し込む作業を要しない。
【００４２】
また、ユーザが、開閉蓋１１０を閉位置から開位置まで開放させる場合には、回転軸１３８の位置が、捩りコイルバネ２５６の付勢力により機器内部側に維持される。従って、開閉蓋１１０を閉位置から開位置まで回転させる操作の操作性を犠牲にすることなく、開閉蓋１１０の信頼性、安全性を向上できる。
【００４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００４５】
【図１】デジタルカメラ１００を、底側を上側に向けた状態で示した斜視図である。
【図２】開閉蓋１１０を開いた状態のデジタルカメラ１００を、底側を上側に向けた状態で示した斜視図である。
【図３】開閉蓋１１０を閉じた状態のデジタルカメラ１００の底側を拡大して示す正面断面図である。
【図４】開閉蓋１１０を閉じた状態のデジタルカメラ１００の底側を拡大して示す正面断面図である。
【図５】開閉蓋１１０、ヒンジ部１３０、及びヒンジ支持部１５０を示す分解斜視図である。
【図６】開閉蓋１１０を開放した状態のデジタルカメラ１００の底側を拡大して示す正面断面図である。
【図７】開閉蓋１１０を開位置からさらに開放方向へ回転させた状態のデジタルカメラ１００の底側を拡大して示す正面断面図である。
【図８】ヒンジ支持部１５０の他の実施形態に係るヒンジ支持部２５０を備えるデジタルカメラ１００の底側を拡大して示す正面断面図である。
【図９】ヒンジ支持部２５０を備えるデジタルカメラ１００の底側を拡大して示す正面断面図である。
【図１０】開閉蓋１１０、ヒンジ部１３０、及びヒンジ支持部２５０を示す分解斜視図である。
【図１１】開閉蓋１１０を開放した状態のデジタルカメラ１００の底側を拡大して示す正面断面図である。
【図１２】開閉蓋１１０を開位置からさらに開放方向へ回転させた状態のデジタルカメラ１００の底側を拡大して示す正面断面図である。
【符号の説明】
【００４６】
１００  デジタルカメラ、１０２  筐体、１０４  レンズ鏡筒、１０６  底部外観面、１１０  開閉蓋、１１２  装填口、１１３  開口部、１１４  外観面、１１６  スライドレール、１１８  板バネ、１１９  係合凸部、１２０  ロックレバー、１２２  操作部、１２４  レバー部、１２６、１２８  係合凹部、１３０  ヒンジ部、１３２  捩りコイルバネ、１３３  Ｅリング、１３４  軸受部、１３６  軸支部、１３８  回転軸、１４０  ボックス、１４２  水平壁部、１４３  開口部、１４５  側壁部、１４７、１４９  凸部、１５０  ヒンジ支持部、１５１  水平部、１５２  ガイド部、１５３  鉛直部、１５４  ガイド支持部、１５５  鉛直部、１５６  引張コイルバネ、１５７  鉛直部、１５８  Ｌ字アングル、１５９  水平部、１６１  長孔、１６３  凸部、１６５  フランジ部、１６７  フック部、１６９  長孔、２５０  ヒンジ支持部、２５２  リンクアーム、２５４  回転軸、２５５  フック部、２５６  捩りコイルバネ、２５７  直線部、２５８  軸受、２５９  Ｅリング
【図１】
2010113222.tif 000003
【図２】
2010113222.tif 000004
【図３】
2010113222.tif 000005
【図４】
2010113222.tif 000006
【図５】
2010113222.tif 000007
【図６】
2010113222.tif 000008
【図７】
2010113222.tif 000009
【図８】
2010113222.tif 000010
【図９】
2010113222.tif 000011
【図１０】
2010113222.tif 000012
【図１１】
2010113222.tif 000013
【図１２】
2010113222.tif 000014